(57)【要約】【課題】複数の発光素子を実装基板上に配置した線状光源モジュールにおいて、蛍光体樹脂の濃度むらを改善する事ができる線状光源モジュールおよびこれに用いられる実装基板とその製造方法を提供する。【解決手段】実装基板上のアノード端子とカソード端子間でワイヤボンドもしくははんだ接続する事で、蛍光体樹脂中に含まれる蛍光体粒子の帯電による色度の偏りを防止し、さらには複数のＬＥＤ２０から出射される光の放射照度分布にむらを改善する事が出来る。さらに、端子接続部でワイヤボンドを切断する事で、電気的な接続が分離された本来の配線状態に戻す事も可能となる。【選択図】図６
2013077660.tif 000002
【特許請求の範囲】
【請求項１】
複数の発光素子が実装基板上に線状に実装されてなる線状光源モジュールであって、
前記実装基板の基材部の主表面上に設けられ、前記複数の発光素子がその表面上に実装された第１導電パターンと、
前記基材部の前記主表面上に設けられた第２導電パターンと、前記発光素子の周囲を囲む枠体と、前記枠体内を塗布する蛍光体樹脂を備え、
前記第１導電パターンと前記第２導電パターンに端子部を有する事を特徴する線状光源モジュール。
【請求項２】
複数の発光素子が実装基板上に線状に実装されてなる線状光源モジュールであって、
前記実装基板の基材部の主表面上に設けられ、前記複数の発光素子がその表面上に実装された第１導電パターンと、
前記基材部の前記主表面上に設けられた第２導電パターンと、前記発光素子の周囲を囲む枠体と、前記枠体内を塗布する蛍光体樹脂を備え、
前記第１導電パターンと前記第２導電パターンとの端子部で短絡可能な事を特徴する線状光源モジュール。
【請求項３】
前記第１導電パターンと前記第２導電パターンとの端子間の一時的な短絡が、ワイヤボンディングよってなされている請求項１または請求項２に記載の線状光源モジュール。
【請求項４】
前記第１導電パターンと前記第２導電パターンとの端子間の一時的な短絡が、はんだによってなされている請求項１または請求項２に記載の線状光源モジュール。
【請求項５】
複数の発光素子が実装基板上に線状に実装されてなる実装基板であって、
前記実装基板の基材部の主表面上に設けられ、前記複数の発光素子がその表面上に実装された第１導電パターンと、
前記基材部の前記主表面上に設けられた第２導電パターンと、前記第１導電パターンと前記第２導電パターンとの端子部を有する事を特徴する実装基板。
【請求項６】
複数の発光素子が実装基板上に線状に実装されてなる実装基板であって、前記実装基板の基材部の主表面上に設けられ、前記複数の発光素子がその表面上に実装された第１導電パターンと、
前記基材部の前記主表面上に設けられた第２導電パターンと、前記第１導電パターンと前記第２導電パターンとの端子間で短絡可能な事を特徴する実装基板。
【請求項７】
前記第１導電パターンと前記第２導電パターンとの端子間の一時的な短絡が、ワイヤボンディングよってなされている請求項５または請求項６に記載の実装基板。
【請求項８】
前記第１導電パターンと前記第２導電パターンとの端子間の一時的な短絡が、はんだによってなされている請求項５または請求項６に記載の実装基板。
【請求項９】
複数の発光素子が実装基板上に線状に実装されてなる線状光源モジュールの製造方法であって、
前記実装基板の第１導電パターンと前記第２導電パターンとの端子間の短絡工程と、前記前記枠体内を塗布する蛍光体樹脂塗布工程と、前記蛍光体樹脂の硬化工程と、前記実装基板の第１導電パターンと前記第２導電パターンとの端子間の短絡を分離する工程を有することを特徴とする線状光源モジュールの製造方法。
【発明の詳細な説明】
【技術分野】
【０００１】
本発明は、複数の発光素子が実装基板上に線状に実装されてなる線状光源モジュールおよび実装基板とその製造方法に関する。
【背景技術】
【０００２】
従来、各種表示装置や照明装置等に使用される光源モジュールとして、線状光源モジュールが知られている。線状光源モジュールは、ＬＥＤ（Light Emitting Diode）等の発光素子を線状に配置してなる光源モジュールである。
【０００３】
当該線状光源モジュールにおいては、線状に配置された複数の発光素子から出射された光が導光板等の導光手段に効率よく入射されるように、当該複数の発光素子を取り囲むように枠体が設けられる場合が多い。
【０００４】
たとえば、図１３に示す特開２００４−２６５９７８号公報（特許文献１）には、実装基板と、当該実装基板上に線状に配置された複数のＬＥＤと、当該ＬＥＤを取り囲むように実装基板上に配置された枠状と反射体とを備えた線状光源モジュールが開示されている。
【０００５】
この種の線状光源モジュールにおいては、出射される光の放射照度分布にむらが生じることを抑制することが重要であり、そのためには、蛍光体樹脂を線状かつ均一に高精度に塗布することが必要になる。これを実現するためには、蛍光体樹脂の塗布時に、蛍光体樹脂の放出されるノズル移動に伴う蛍光体樹脂濃度に偏りを持たせないことが一つの解決方法となる。
【０００６】
また、たとえば、図１４に示す特開２０１１−６１０５６号公報（特許文献２）には、熱処理時の放熱基板と回路基板との熱膨張係数の差により応力が発生して基板が反るという課題に対して、発光素子チップ及び回路チップをボンディングワイヤによって電気的に直列接続する線状光源モジュールが開示されている。従来の接着剤で貼り付けた異なる部品の代りに、一体形成された基板を用いているので、熱膨張係数の差による応力が生じず、反りは生じない。その結果として、線状光源装置は小型になり、より蛍光体樹脂を線状かつ均一に高精度に塗布しやすくなる。
【先行技術文献】
【特許文献】
【０００７】
【特許文献１】特開２００４−２６５９７８号公報
【特許文献２】特開２０１１−６１０５６号公報
【発明の概要】
【発明が解決しようとする課題】
【０００８】
上述した特許文献１に開示の如く発光ダイオードアレイの両側に沿って延びる反射体を形成して発光ダイオード素子の横側面又は前面からの光を反射し、より高い照度を得ることは出来るが、線状光源モジュールとしては大型化してしまい、反射体の位置精度により線状光源の光の均一性について偏りが生じやすく、コスト的にも反射体の費用が必要となり高価になる。
【０００９】
そこで、線状光源モジュールにあっては、枠体の中を蛍光体樹脂で充填し、蛍光体樹脂中には蛍光体粒子が含有される場合が多い。発光素子から出射された光はこの蛍光体粒子により、外部に向けてより効率的に出射される構成にすることが一般的である。
また、上述した特許文献２に開示の如くＬＥＤチップと回路チップを直接ボンディングワイヤで形成すれば、ワイヤの形成方向にＬＥＤチップと回路チップが配置するが、更なる出射される光の放射照度分布むら低減させる為には、より線状光源の小型化が求められている。
【００１０】
そこで、各ＬＥＤチップのみを直接ボンディングワイヤで接続し、より線状方向に小型に配置する手法が採用されているが、例えばディスペンサを使用して蛍光体樹脂を枠体中に塗布した場合、蛍光体樹脂の硬化後に何らかの作用により、線状方向に蛍光体の濃度むらが生じる場合がある。そして、蛍光体の濃度むらは、線状光源自体の出射される光の放射照度分布にむらに繋がる結果となっている。
【００１１】
したがって、本発明は、上述した問題点を解決すべくなされたものであり、
複数の発光素子を実装基板上に配置した線状光源モジュールにおいて、蛍光体の濃度むらを改善する事ができる線状光源モジュールおよびこれに用いられる実装基板とその製造方法を提供する事を目的とする。
【課題を解決するための手段】
【００１２】
本発明に基づく線状光源モジュールは、複数の発光素子が線状に実装されてなる線状光源モジュールに用いられるものであって、線状光源のアノード端子とカソード端子を接続させる端子部を有することを特徴とする。
【００１３】
本発明に基づく線状光源モジュールは、複数の発光素子が線状に実装されてなる線状光源モジュールに用いられるものであって、線状光源のアノード端子とカソード端子を一時的に電気的に接続させることを特徴とする。
【００１４】
上記アノード端子と上記カソード端子は、実装基板上に形成されていてもよいし、実装基板以外の線状光源モジュールの構成部品上に形成されてもよい。
【００１５】
上記本発明に基づく上記実装基板にあっては、上記実装基板上に載置した複数の線状光源を一時的に上記アノード端子とカソード端子をワイヤボンドで電気的に接続して構成されていることが好ましい。
【００１６】
上記本発明に基づく上記実装基板にあっては、上記実装基板上に載置した複数の線状光源を一時的に上記アノード端子とカソード端子をはんだで電気的に接続して構成されていることが好ましい。
【００１７】
上記本発明に基づく上記実装基板にあっては、上記実装基板上に載置したアノード端子とカソード端子の端子間隔を４ｍｍ以下になるように形成されていることが好ましい。
【００１８】
上記本発明に基づく線状光源モジュール製造工程において、上記実装基板の上記アノード端子と上記カソード端子を短絡させるための短絡工程と、上記短絡工程で短絡させた電気的な接続を除去するための短絡部除去工程とを含むことを特徴とする。
【発明の効果】
【００１９】
本発明によれば、複数の発光素子を実装基板上に配置した線状光源モジュールにおいて、蛍光体樹脂の濃度むらを改善する事ができる線状光源モジュールおよびこれに用いられる実装基板とその製造方法を提供する。
【図面の簡単な説明】
【００２０】
【図１】本発明の実施の形態１における線状光源モジュールの斜視図である。
【図２】図１に示す線状光源モジュールの平面図である。
【図３】図１に示す線状光源モジュールの断面図である。
【図４】蛍光体樹脂塗布の概念図である。
【図５】従来例の色度ｙ分布結果である。
【図６】本願発明の実施例1の線状光源モジュールの上面図全体である。
【図７】本発明による色度ｙ分布結果である。
【図８】本願発明の実施例２の線状光源モジュールの上面図全体である。
【図９】本願発明の線状光源モジュールの実製品配線図である。
【図１０】本願発明の線状光源モジュールの概念図である。
【図１１】本願発明の工程プロセスフロー図である。
【図１２】検証実験図である。
【図１３】従来例の特許文献１の説明図である。
【図１４】従来例の特許文献２の説明図である。
【発明を実施するための形態】
【００２１】
（実施の形態１）
以下、本発明の実施の形態について、図を参照して詳細に説明する。
以下に示す実施の形態は、いずれも液晶表示装置のバックライト、照明装置、今後の蛍光灯への代替え照明等に組み込まれる線状光源モジュールを例示するものであり、当該線状光源モジュールは、ここではその説明を省略するが、液晶表示装置のバックライトでは、その出射面側に導光体等の導光手段が別途設置される前提のものである。
【００２２】
なお、以下に示す実施の形態においては、同様のまたは共通する部分について図中同一の符号を付し、その説明は繰り返さない。
【００２３】
図１は、本発明の実施の形態１における線状光源モジュールの斜視図である。また、図２は、図１に示す線状光源モジュールの平面図であり、図３は、図１に示す線状光源モジュールの断面図である。
【００２４】
なお、図３は、図２に示すＩＩＩ−ＩＩＩ線に沿って線状光源モジュールを切断した場合の断面図である。まず、これら図１ないし図３を参照して、本実施の形態における線状光源モジュール１Ａの構造について説明する。
【００２５】
図１ないし図３に示すように、本実施の形態における線状光源モジュール１Ａは、実装基板１０と、枠体１５と、複数のＬＥＤ２０とを主として備えている。
【００２６】
実装基板１０は、平面視矩形状の板状の部材からなり、基材部１１と、第１導電パターン１２Ａと、一対の第２導電パターン１２Ｂ，１２Ｃとを有している。当該実装基板１０の主表面は、枠体１５および複数のＬＥＤ２０が実装される光源エリアと、他の回路部品が実装される周辺エリアとに大別される。第１導電パターン１２Ａは、光源エリア内の略中央部に配置されるように設けられており、一対の第２導電パターン１２Ｂ，１２Ｃは、少なくともその一部が光源エリア内の周縁部に配置されるように設けられている。
【００２７】
図１および図３に示すように、基材部１１は、ベース１１ａと、当該ベース１１ａ上に形成された絶縁層１１ｂとを含んでいる。ベース１１ａは、ＬＥＤ２０が駆動することで生じた熱や、実装基板１０に実装された他の回路部品にて生じた熱を外部に効率的に放熱する観点から、アルミニウム等の高熱伝導性の金属板にて構成されていることが好ましい。しかしながら、ベース１１ａは、これに限定されるものではなく、ガラスエポキシ板や、セラミックス板にて構成されていてもよい。また、絶縁層１１ｂは、ベース１１ａと第１および第２導電パターン１２Ａ〜１２Ｃとの間の絶縁性が確保できるものであれば、どのような材質のものであってもよい。なお、ベース１１ａを上述した如くのガラスエポキシ板やセラミックス板の如くの絶縁体にて構成した場合には、絶縁層１１ｂの形成は不要である。
【００２８】
図１ないし図３に示すように、基材部１１の主表面上（すなわち、絶縁層１１ｂの主表面上）には、上述した第１導電パターン１２Ａおよび第２導電パターン１２Ｂ，１２Ｃが形成されている。第１導電パターン１２Ａは、複数のＬＥＤ２０がその表面上に実装される導電パターンであり、一対の第２導電パターン１２Ｂ，１２Ｃは、複数のＬＥＤ２０の各々の実装位置を決定するためのアラインメントマークとなるアラインメント部を含む導電パターンである。なお、本実施の形態において、複数のＬＥＤ２０が導電パターン上に実装される理由は、主としてＬＥＤ２０が駆動することで生じた熱を基材部１１に効率的に放熱するためである。
【００２９】
図３に示すように、第１導電パターン１２Ａおよび第２導電パターン１２Ｂ，１２Ｃのそれぞれは、基材部１１の主表面上に形成された配線層１３ａと、当該配線層１３ａを覆うように形成されためっき層１３ｂとを含んでいる。なお、本実施の形態における線状光源モジュール１Ａにあっては、第１導電パターン１２Ａおよび第２導電パターン１２Ｃは、電気信号を伝送するための配線としての機能は有していないが、電気信号を伝送するための他の配線層と同時に形成されるいわゆるダミー配線に相当するものであるため、ここではこれら第１導電パターン１２Ａおよび第２導電パターン１２Ｃに含まれる層１３ａについても配線層と称している。
【００３０】
配線層１３ａおよびめっき層１３ｂの材質は、特に限定されるものではないが、配線層１３ａは、熱伝導率および導電率の観点から銅などの金属材料にて構成されていることが好ましく、めっき層１３ｂは、熱伝導率、導電率および反射率の観点から、銀、アルミニウム、白金などの金属材料にて構成されていることが好ましい。なお、光が実装基板１０に一切照射されないように構成されている場合や、配線層１３ａの腐食を防止するために別途プリフラックスを配線層１３ａに塗布する場合等には、めっき層１３ｂの形成は不要である。
【００３１】
配線層１３ａの厚みとしては、熱の逃がし易さや電流の流れ易さ等の観点から、その断面積ができるだけ大きくなるように厚く形成することが好ましい。  しかしながら、配線層１３ａを厚く形成し過ぎた場合には、配線層１３ａのパターニングの際に、不要部分を溶解させるために大量のエッチング液が必要になるとともに、エッチングのタクトタイムも長時間化するため、これらを考慮して最適の厚みとすることが好ましい。また、配線層１３ａの厚みを厚く形成し過ぎた場合には、後述するアラインメント部のエッジ部に大きな丸みが生じてしまう原因になる。そのため、上述した各種の観点から、配線層１３ａの厚みとしては、好適には０．０３５ｍｍ以下とされることが好ましい。
【００３２】
図１および図２に示すように、第１導電パターン１２Ａは、基材部１１の主表面の法線方向から見た場合に（以下、単にこれを「平面視した場合に」とも称する）、長尺の略矩形状の形状を有しており、当該第１導電パターン１２Ａが延びる方向に沿ってＬＥＤ２０が線状に実装されている。
【００３３】
一対の第２導電パターン１２Ｂ，１２Ｃのうちの一方である第２導電パターン１２Ｂは、基材部１１の主表面上において、第１導電パターン１２Ａの延びる方向と交差する方向の一方側において当該第１導電パターン１２Ａと概ね並走するように設けられている。  より詳細には、第２導電パターン１２Ｂは、第１導電パターン１２Ａが延びる方向に沿って延びるベース部１２ｂと、当該ベース部１２ｂから第１導電パターン１２Ａ側に向けて突出する複数の凸部からなるアラインメント部１８Ｂとを含んでいる。当該複数のアラインメント部１８Ｂは、ベース部１２ｂが延びる方向に沿って一定の距離をもってそれぞれ離間して設けられている。
【００３４】
一対の第２導電パターン１２Ｂ，１２Ｃのうちの他方である第２導電パターン１２Ｃは、基材部１１の主表面上において、第１導電パターン１２Ａの延びる方向と交差する方向の他方側において当該第１導電パターン１２Ａと概ね並走するように設けられている。  より詳細には、第２導電パターン１２Ｃは、第１導電パターン１２Ａが延びる方向に沿って延びるベース部１２ｃと、当該ベース部１２ｃから第１導電パターン１２Ａ側に向けて突出する複数の凸部からなるアラインメント部１８Ｃとを含んでいる。当該複数のアラインメント部１８Ｃは、ベース部１２ｃが延びる方向に沿って一定の距離をもってそれぞれ離間して設けられている。
【００３５】
以上により、一対の第２導電パターン１２Ｂ，１２Ｃは、基材部１１の主表面上において第１導電パターン１２Ａが延びる方向と交差する方向に沿って第１導電パターン１２Ａを挟み込むように位置することになる。なお、アラインメント部１８Ｂ，１８Ｃは、第１導電パターン１２Ａが延びる方向に沿って互い違いに配置されるように設けられている。
【００３６】
ここで、複数の凸部からなるアラインメント部１８Ｂ，１８Ｃのそれぞれは、平面視した場合に一対の角部をそれぞれ有しており、これら一対の角部の各々または一方がアラインメント用の出隅部となる。すなわち、上記構成を採用することにより、凸部の角部にて構成される複数のアラインメント用の出隅部が、基材部１１の主表面上において、第１導電パターン１２Ａが延びる方向と交差する方向に沿って当該第１導電パターン１２Ａに対峙して配置されることになる。
【００３７】
複数のＬＥＤ２０は、駆動されることで光を出射する発光素子に該当し、上述したように第１導電パターン１２Ａの延びる方向に沿って線状に互いに所定の距離をもって第１導電パターン１２Ａ上に実装されている。より詳細には、複数のＬＥＤ２０の各々は、図示しないダイボンド材によって第１導電パターン１２Ａに接着されており、複数のＬＥＤ２０のうちの隣り合うＬＥＤ同士は、金線等からなるボンディングワイヤ２１によって電気的に接続されている。
【００３８】
図１ないし図３に示すように、枠体１５は、たとえば白色樹脂の成形体にて構成されており、好適には射出成形（アウトサート成形）されることによって実装基板１０に一体化させて形成される。枠体１５は、その外形が環状（額縁状）となるようにスリット状の内部中空を有する形状に形成されており、上述した第１導電パターン１２Ａの周縁に沿って配設されている。
【００３９】
枠体１５は、上述した線状に配置された複数のＬＥＤ２０を取り囲むように設けられており、当該複数のＬＥＤ２０から出射された光の一部を反射する反射面１５ａをその内周部に有している。なお、当該反射面１５ａは、図３に示すように傾斜状に設けられることが好ましい。このように構成することにより、ＬＥＤ２０の駆動時において、反射面１５ａで反射された光をＬＥＤ２０の光軸方向に導くことが可能になり、外部に向けて効率よく光が出射されることになる。
【００４０】
また、図３に示すように、枠体１５の内部中空には、蛍光体樹脂１６が充填されている。蛍光体樹脂１６は、たとえばシリコーン樹脂やエポキシ樹脂等からなり、枠状の反射体１５の内部中空に位置する複数のＬＥＤ２０を封止している。なお、蛍光体樹脂１６には、蛍光体粒子が分散配置されていている。
【００４１】
次に、本実施の形態における線状光源モジュール１Ａを製造するための具体的な製造方法について説明する。
【００４２】
本実施の形態における線状光源モジュール１Ａを製造するに際しては、まずベース１１ａ上に絶縁層１１ｂを形成し、形成した絶縁層１１ｂ上にさらに配線層１３ａを形成する。具体的には、絶縁層１１ｂは、たとえば接着や蒸着等によってベース１１ａ上に形成され、配線層１３ａは、蒸着または接着等によって絶縁層１１ｂ上に導体層が形成された後に、当該導体層に対してフォトマスクを用いたエッチング処理が行なわれて所定形状にパターニングされることにより絶縁層１１ｂ上に形成される。
【００４３】
次に、配線層１３ａ上にめっき層１３ｂを形成する。より詳細には、所定形状にパターニングされた配線層１３ａが基材部１１の主表面上に形成されてなる仕掛品をめっき液に浸漬し、当該状態を維持しつつ配線層１３ａに電圧を印加することにより、剥き出しとなっている配線層１３ａの表面にめっき処理が施され、これによりめっき層１３ｂが配線層１３ａ上に形成される。以上により、第１導電パターン１２Ａおよび第２導電パターン１２Ｂ，１２Ｃが基材部１１の主表面上に形成されてなる実装基板１０が製作される。
【００４４】
なお、上述したエッチング処理の際には、形成される配線層１３ａのエッジ部に丸みが生じてしまうことになる。当該エッジ部の丸みは、その後に行なわれるめっき処理の際にもめっき層１３ｂのエッジ部に丸みとなって現れるため、結果的に第１導電パターン１２Ａおよび第２導電パターン１２Ｂ，１２Ｃのエッジ部に丸みが生じてしまうことになる。      
【００４５】
そのため、第２導電パターン１２Ｂ，１２Ｃに含まれるアラインメント部のエッジ部に丸みが可能な限り生じないようにするためには、前述したように配線層１３ａの厚みを必要以上に厚く形成し過ぎないことが重要である。
【００４６】
次に、実装基板１０の主表面側に枠体１５を形成する。より詳細には、実装基板１０を射出成形装置の成形型に設置した後、白色樹脂を成形型に流し込み、これを硬化させることで第１導電パターン１２Ａ上に枠体１５が形成される。なお、このように枠体１５を実装基板１０に対して射出成形にて形成することにより、実装基板１０に対する枠体１５の実装位置が高精度に位置決めされることになる。
【００４７】
次に、第１導電パターン１２Ａ上に複数のＬＥＤ２０が位置決めして実装される。より詳細には、上述した第２導電パターン１２Ｂ，１２Ｃに含まれるアラインメント部を基準として複数のＬＥＤ２０の各々の実装位置が決定され、これに基づいて複数のＬＥＤ２０がチップマウンタ等を用いて第１導電パターン１２Ａ上に実装される。その後、複数のＬＥＤ２０がボンディングワイヤ２１を用いてワイヤボンドされ、さらに蛍光体樹脂１６によって封止されることにより、図１ないし図３に示した如くの線状光源モジュール１Ａが完成する。
【００４８】
図４に蛍光体樹脂の塗布方法についての詳細を概念図で示す。ディスペンサノズル２３の先端から出た蛍光体樹脂を一定量ずつ放出しながら、第１導電パターン１２Ａ上のアノード端子側（−端子）からカソード端子側（＋端子）までノズル先端を移動させて、均一に蛍光体樹脂を塗布する。
【００４９】
図５に従来の蛍光体樹脂塗布による線状光源モジュール１Ａの塗布位置と色度ｙ分布の関係を示す。アノード端子（−端子）を原点として、カソード端子（＋端子）までの色度ｙ分布は、図に示されるように、アノード端子（−端子）付近が０．１５程度であり、カソード端子（＋端子）に近づくにつれて上昇し、カソード端子（＋端子）付近では、０．２程度に達している。この為、線状光源モジュール１Ａ内に色度ｙ偏りが生じ、複数のＬＥＤ２０から出射される光の放射照度分布にむらを与えている。これは、後述する検証実験で記述するが、蛍光体樹脂中に含まれる蛍光体粒子の帯電による影響と考えられる。
【００５０】
図６は、本願発明の実施例1の線状光源モジュール１Ａの上面図全体である。第２導電パターン１２Ｂ上のカソード端子（＋端子）と第３導電パターン１２Ｄ上のアノード端子（−端子）がボンディングワイヤ２１を用いてワイヤボンドされている。また、複数のＬＥＤ２０はチップピッチ１．００〜２．００ｍｍ（好ましくは１．６ｍｍ前後）の間隔で第１導電パターン１２Ａ上に形成され、１５個程度がボンディングワイヤで直列に接続されている、線状光源モジュールのクラスタ２２を形成されている。さらに、各クラスタの間隔は３．００〜４．００ｍｍ（好ましくは３．７ｍｍ前後）を有し、１つの線状光源モジュール１Ａ内には、およそ４つクラスタが形成されている。
【００５１】
これらのカソード端子（＋端子）とアノード端子（−端子）のワイヤボンドは、複数のＬＥＤ２０のワイヤボンドと同時に形成される。
【００５２】
そして、図４に示した蛍光体樹脂塗布後、蛍光体樹脂の熱硬化を行い、所定の処理が完了するまでアノード端子（−端子）とカソード端子（＋端子）間の端子部にて、ワイヤボンドすることを可能とする。
【００５３】
一方で、蛍光体樹脂中に含まれる蛍光体粒子の帯電により、蛍光体樹脂塗布時に蛍光体粒子はアノード（−）に帯電しており、カソード端子（＋端子）に集合しやすい特性を持っている。
【００５４】
その為、線状光源モジュール１Ａ内に色度の偏りを生じやすくなっている。しかし、上述のアノード端子とカソード端子間でワイヤボンドする事で、アノード端子（−端子）とカソード端子（＋端子）が一時的に短絡された状態、つまり電位差が無くなった状態となる。
【００５５】
これにより、後の工程である蛍光体樹脂の熱硬化等によるカソード端子（＋端子）への蛍光体粒子の集束促進を防止する事が出来るようになる。さらに、このワイヤボンドを蛍光体樹脂塗布、熱硬化等の後に端子部のワイヤボンド部分を切断して、アノード端子（−端子）とカソード端子（＋端子）端子間の電気的な接続の分離が可能となる。
【００５６】
このアノード端子とカソード端子間でワイヤボンドする事で、蛍光体樹脂中に含まれる蛍光体粒子の帯電による色度の偏りを防止し、さらには複数のＬＥＤ２０から出射される光の放射照度分布にむらを改善する事が出来る。そして、さらには、端子接続部でワイヤボンドを切断する事で、電気的な接続が分離された本来の配線状態に戻す事も可能となる。
【００５７】
図７に本願発明による線状光源モジュール１Ａの塗布位置と色度ｙ分布の関係を示す。図に示されるように、色度ｙはアノード端子（−端子）付近が０．１７程度であり、カソード端子（＋端子）に近づいても同様に０．１７程度であり、線状光源モジュール１Ａ内に色度ｙの偏りは見られず、さらには、複数のＬＥＤ２０から出射される光の放射照度分布が高精度に均一なものに改善される。
【００５８】
以上の結果より、本発明に線状光源モジュール１Ａによれば、ＬＥＤ２０の色度ｙの偏りが減少すると共に光の放射照度分布が従来例に対して改善することが確認できる。
したがって、本発明の有意な効果が当該結果により確認された。
（実施の形態２）
図８は本願発明の実施例２の線状光源モジュールの上面図全体である。
【００５９】
以下、この図８を参照して、本実施の形態における本実施の形態における線状光源モジュール１Ｂについて説明する。この線状光源モジュール１Ｂについては、実施の形態１で記載したアノード端子（−端子）とカソード端子（＋端子）の端子位置、接続方法が相違する。すなわち、本実施形態の線状光源モジュール１Ｂでは、全クラスタのアノード端子を連結させた＋端子部を形成し、同様に全クラスタのカソード端子を連結させた−端子部を形成する。
【００６０】
そして、＋端子部と−端子部は、はんだによって短絡されている。
これにより、1つの線状光源モジュールの微細なワイヤボンドでの短絡、切断という製造方法の負担を低減すると共に、＋端子部と−端子部の大きなはんだによる短絡箇所１カ所を短絡、切断する事で、実施の形態１と同様に、線状光源モジュール内に色度の偏りがなく、さらには、複数のＬＥＤ２０から出射される光の放射照度分布が高精度に均一なものに改善された状態を実現する事が出来る。
【００６１】
図９に本願発明の線状光源モジュールの実製品基板の配線図を示す。線状光源モジュールの実装基板は、幅１０ｍｍ、長さ１１０ｍｍ程度の大きさの平面視矩形状の板状の部材から構成されており、実装基板１０の主表面は、基準穴、枠体１５および複数のＬＥＤ２０が実装される光源エリアと、他の回路部品が実装される周辺エリアとが配置されている。
【００６２】
図１０に本願発明の概念図を示す。図６、図８、図９において、本願発明の実製品での構成を説明したが、本願発明は図１０に記載されているように、複数のＬＥＤ２０がボンディングワイヤで接続されており、そのＬＥＤ２０と配線された配線エリアにアノード端子（−端子）とカソード端子（＋端子）を有し、それらを蛍光体樹脂塗布工程前に短絡し、蛍光体樹脂塗布工程後に何らかの方法、例えば、ボンディングワイヤの断線、配線のエッチィングによる除去にてアノード端子（−端子）とカソード端子（＋端子）を断線する工程を含んでいる実装基板及びそれに搭載された線状光源モジュールをすべて含むものである。
【００６３】
図１１に本願発明の工程プロセスフロー図を示す。受け入れ検査工程にて部品の品質確認を行い、ダイボンド工程にて、複数のＬＥＤ２０を第１導電パターン１２Ａにダイボンドする。次に、ボンディングワイヤ工程にて、複数のＬＥＤ２０をボンディングワイヤで接続し、同時あるいはその後にアノード端子（−端子）とカソード端子（＋端子）についてもボンディングワイヤで接続する。なお、実施例２のはんだについても同様の処理で行う。次に、ボンディングワイヤＱＣ工程でボンディングワイヤの品質検査を行い、蛍光体樹脂塗布工程にて、枠体１５中の複数のＬＥＤ２０を所定の蛍光体樹脂で封止する。封止された蛍光体樹脂を熱処理により硬化した後、短絡用ボンディングワイヤ工程にてボンディングワイヤの断線、あるいははんだ断線を行う。
【００６４】
図１２に検証実験の結果を示す。
ガラス板上の配線シート（銅箔厚さ35um、配線1.5mmピッチ品)の銅配線の櫛歯パターンを作成して、同様にパターン上に蛍光体樹脂を塗布し、線状光源モジュールの模式実験を実施したところ、カソード端子（＋端子）側に蛍光体樹脂が集まり、蛍光体樹脂中の蛍光体粒子はアノード（−）に帯電している事を確認している。図１２には、銅配線の櫛歯パターンの初期から処理後における蛍光体粒子の移動の様子を顕微鏡写真にて示しており、全体写真の動画においても蛍光体粒子はアノード（−）に帯電している事を確認している。
【００６５】
なお、粒子の実施の形態においては、枠体１５がアウトサート成形によいって実装基板１０に一体化された場合を例示して説明を行なったが、他の方法を用いて枠体１５を実装基板１０に組付けることとしてもよい。
【００６６】
さらに、複数のＬＥＤ２０の線状の意味は、湾曲状、並列状、ジグザグ状、長方形状、正方形状といった一定の方向性を指し、直線性が一部でもあれば、一直線にのみ複数のＬＥＤ２０が配列したものに限定されない。
【００６７】
このように、今回開示した上記実施の形態はすべての点で例示であって、制限的なものではない。本発明の技術的範囲は特許請求の範囲によって画定され、また特許請求の範囲の記載と均等の意味および範囲内でのすべての変更を含むものである。
【産業上の利用可能性】
【００６８】
本発明は、線状光源モジュールおよび実装基板として利用可能である。
【符号の説明】
【００６９】
１Ａ〜１Ｃ  線状光源モジュール、
１０  実装基板
１１  基材部
１１ａ  ベース
１１ｂ  絶縁層
１２Ａ  第１導電パターン
１２Ｂ  第２導電パターン
１２Ｃ  第２導電パターン
１２Ｄ  第３導電パターン
１２ｂ  ベース部
１２ｃ  ベース部
１３ａ  配線層
１３ｂ  めっき層
１４  白色レジスト膜
１５  枠体
１５ａ  反射面
１６  蛍光体樹脂
１８Ｂ  アラインメント部
１８Ｃ  アラインメント部
２０  ＬＥＤ
２１  ボンディングワイヤ
２２  クラスタ
２３  ディスペンサノズル
２４  アノード端子 （−端子）
２５  カソード端子 （＋端子）
２６  はんだ
１０１  線状光源
１０２  反射体
１０３  回路チップ
【図１】
2013077660.tif 000003
【図２】
2013077660.tif 000004
【図３】
2013077660.tif 000005
【図４】
2013077660.tif 000006
【図５】
2013077660.tif 000007
【図６】
2013077660.tif 000008
【図７】
2013077660.tif 000009
【図８】
2013077660.tif 000010
【図９】
2013077660.tif 000011
【図１０】
2013077660.tif 000012
【図１１】
2013077660.tif 000013
【図１２】
2013077660.tif 000014
【図１３】
2013077660.tif 000015
【図１４】
2013077660.tif 000016
【手続補正書】
【提出日】平成24年12月27日(2012.12.27)
【手続補正１】
【補正対象書類名】特許請求の範囲
【補正対象項目名】全文
【補正方法】変更
【補正の内容】
【特許請求の範囲】
【請求項１】
複数の発光素子が実装基板上に線状に実装されてなる線状光源モジュールであって、
前記実装基板の基材部の主表面上に設けられ、互いに電気的に直列に接続される前記複数の発光素子がその表面上に実装され、前記複数の発光素子と電気的に接続されるアノード端子を有する第１導電パターンと、
前記基材部の前記主表面上に設けられ、前記複数の発光素子と電気的に接続されるカソード端子を有する第２導電パターンと、
前記複数の発光素子の周囲を囲み、その内側に、前記複数の発光素子と電気的に接続される前記第１導電パターンの表面上のエリアと、前記複数の発光素子と電気的に接続される前記第２導電パターンの表面上のエリアとを含むように設けられる枠体と、
蛍光体粒子を含み、前記枠体内に充填される蛍光体樹脂と、
前記アノード端子と前記カソード端子との間で断線された導電部材とを備える、線状光源モジュール。
【請求項２】
前記導電部材は、ボンディングワイヤである、請求項１に記載の線状光源モジュール。
【請求項３】
前記導電部材は、はんだである、請求項１に記載の線状光源モジュール。
【請求項４】
複数の発光素子が実装基板上に線状に実装されてなる線状光源モジュールの製造方法であって、
前記実装基板の基材部の主表面上に、第１導電パターンおよび第２導電パターンを設ける工程と、
前記第１導電パターンの表面上に、前記複数の発光素子を設け、前記複数の発光素子間を互いに電気的に直列に接続するとともに、前記複数の発光素子と、前記第１導電パターン上のアノード端子および前記第２導電パターン上のカソード端子とを電気的に接続する工程と、
前記第１導電パターン上の前記アノード端子と、前記第２導電パターン上の前記カソード端子とを、導電部材により短絡させる工程と、
前記複数の発光素子の周囲を囲み、その内側に、前記複数の発光素子と電気的に接続される前記第１導電パターンの表面上のエリアと、前記複数の発光素子と電気的に接続される前記第２導電パターンの表面上のエリアとを含むように、枠体を設ける工程と、
前記アノード端子および前記カソード端子間を短絡させた状態で、前記枠体内に、蛍光体粒子を含む蛍光体樹脂を充填する工程と、
前記枠体内に充填された蛍光体樹脂を硬化する工程と、
前記蛍光体樹脂を硬化する工程の後、前記導電部材による前記アノード端子および前記カソード端子間の短絡を分離する工程とを備える、線状光源モジュールの製造方法。
【手続補正３】
【補正対象書類名】明細書
【補正対象項目名】０００１
【補正方法】変更
【補正の内容】
【０００１】
本発明は、複数の発光素子が実装基板上に線状に実装されてなる線状光源モジュールおよびその製造方法に関する。
【手続補正４】
【補正対象書類名】明細書
【補正対象項目名】００１１
【補正方法】変更
【補正の内容】
【００１１】
したがって、本発明は、上述した問題点を解決すべくなされたものであり、複数の発光素子を実装基板上に配置した線状光源モジュールにおいて、蛍光体の濃度むらを改善する事ができる線状光源モジュールおよびその製造方法を提供する事を目的とする。
【手続補正５】
【補正対象書類名】明細書
【補正対象項目名】００１２
【補正方法】変更
【補正の内容】
【００１２】
本発明に基づく線状光源モジュールは、複数の発光素子が線状に実装されてなる線状光源モジュールに関するものである。線状光源モジュールは、実装基板の基材部の主表面上に設けられ、互いに電気的に直列に接続される複数の発光素子がその表面上に実装され、複数の発光素子と電気的に接続されるアノード端子を有する第１導電パターンと、基材部の主表面上に設けられ、複数の発光素子と電気的に接続されるカソード端子を有する第２導電パターンと、複数の発光素子の周囲を囲み、その内側に、複数の発光素子と電気的に接続される第１導電パターンの表面上のエリアと、複数の発光素子と電気的に接続される第２導電パターンの表面上のエリアとを含むように設けられる枠体と、蛍光体粒子を含み、枠体内に充填される蛍光体樹脂と、アノード端子とカソード端子との間で断線された導電部材とを備える。
【手続補正６】
【補正対象書類名】明細書
【補正対象項目名】００１８
【補正方法】変更
【補正の内容】
【００１８】
上記本発明に基づく線状光源モジュールの製造方法は、複数の発光素子が実装基板上に線状に実装されてなる線状光源モジュールの製造方法に関するものである。線状光源モジュールの製造方法は、実装基板の基材部の主表面上に、第１導電パターンおよび第２導電パターンを設ける工程と、第１導電パターンの表面上に、複数の発光素子を設け、複数の発光素子間を互いに電気的に直列に接続するとともに、複数の発光素子と、第１導電パターン上のアノード端子および第２導電パターン上のカソード端子とを電気的に接続する工程と、第１導電パターン上のアノード端子と、第２導電パターン上のカソード端子とを、導電部材により短絡させる工程と、複数の発光素子の周囲を囲み、その内側に、複数の発光素子と電気的に接続される第１導電パターンの表面上のエリアと、複数の発光素子と電気的に接続される第２導電パターンの表面上のエリアとを含むように、枠体を設ける工程と、アノード端子およびカソード端子間を短絡させた状態で、枠体内に、蛍光体粒子を含む蛍光体樹脂を充填する工程と、枠体内に充填された蛍光体樹脂を硬化する工程と、蛍光体樹脂を硬化する工程の後、導電部材によるアノード端子およびカソード端子間の短絡を分離する工程とを備える。
【手続補正７】
【補正対象書類名】明細書
【補正対象項目名】００１９
【補正方法】変更
【補正の内容】
【００１９】
本発明によれば、複数の発光素子を実装基板上に配置した線状光源モジュールにおいて、蛍光体樹脂の濃度むらを改善する事ができる線状光源モジュールおよびその製造方法を提供する。
【手続補正８】
【補正対象書類名】図面
【補正対象項目名】図１０
【補正方法】変更
【補正の内容】
【図１０】
2013077660.tif 000017